(57)【要約】【課題】簡単な構成で消費電力の低減及びバックライトの輝度に起因する視認性の低下が改善される液晶表示装置を提供する。【解決手段】第１の電源回路（たとえば、バッテリ電源回路１１）により、バックライト１４及び描画回路１２に対して電力が供給されると共に、第２の電源回路（たとえば、太陽電池電源回路１５）により、バックライト１４及び描画回路１２に対して電力が供給される。この場合、太陽電池電源回路１５は、バックライト１４及び描画回路１２に対して、バッテリ電源回路１１よりも率先して電力を供給するので、同太陽電池電源回路１５から、外部の明るさに応じて、バックライト１４及び描画回路１２に大半の電力ｐｃ，ｐｄがそれぞれ供給される。また、描画回路１２により、太陽電池電源回路１５から供給される電力の値に基づいて、液晶ディスプレイ１３に描画するときのカラーテーマが変更される。【選択図】図１
2010277055.tif 000002
【特許請求の範囲】
【請求項１】
液晶表示部と、該液晶表示部に対して照光するための照光部と、前記液晶表示部に対して描画処理を行う描画回路と、バッテリを有し、該バッテリの起電力により前記照光部及び描画回路に対して電力を供給する第１の電源回路とを有する液晶表示装置であって、
太陽電池を有し、該太陽電池の起電力により前記照光部及び描画回路に対して電力を供給する第２の電源回路が設けられていることを特徴とする液晶表示装置。
【請求項２】
前記第２の電源回路は、
前記照光部及び描画回路に対して、前記第１の電源回路よりも率先して電力を供給する構成とされていることを特徴とする請求項１記載の液晶表示装置。
【請求項３】
前記描画回路は、
前記第２の電源回路から供給される電力の値に基づいて、前記液晶表示部に描画するときのカラーテーマを変更する構成とされていることを特徴とする請求項１又は２記載の液晶表示装置。
【請求項４】
前記描画回路は、
前記第２の電源回路から供給される電力の値が一定値以下のとき、前記液晶表示部に描画するときのカラーテーマを黒基調とする構成とされていることを特徴とする請求項１、２又は３記載の液晶表示装置。
【請求項５】
供給される電力により第１の電源回路の前記バッテリを充電するための充電回路が設けられ、
前記第２の電源回路は、
前記充電回路に電力を供給する構成とされていることを特徴とする請求項１、２、３又は４記載の液晶表示装置。
【請求項６】
前記第２の電源回路は、
前記照光部及び／又は描画回路に対して電力を供給しないとき、前記充電回路に電力を供給する構成とされていることを特徴とする請求項５記載の液晶表示装置。
【請求項７】
液晶表示部と、該液晶表示部に対して照光するための照光部と、前記液晶表示部に対して描画処理を行う描画回路と、バッテリを有し、該バッテリの起電力により前記照光部及び描画回路に対して電力を供給する第１の電源回路とを有する液晶表示装置に用いられる電力供給方法であって、
太陽電池を有する第２の電源回路が、前記太陽電池の起電力により前記照光部及び描画回路に対して電力を供給することを特徴とする電力供給方法。
【請求項８】
前記第２の電源回路が、前記照光部及び描画回路に対して、前記第１の電源回路よりも率先して電力を供給することを特徴とする請求項７記載の電力供給方法。
【請求項９】
前記描画回路が、前記第２の電源回路から供給される電力の値に基づいて、前記液晶表示部に描画するときのカラーテーマを変更することを特徴とする請求項７又は８記載の電力供給方法。
【請求項１０】
前記描画回路が、前記第２の電源回路から供給される電力の値が一定値以下のとき、前記液晶表示部に描画するときのカラーテーマを黒基調とすることを特徴とする請求項７、８又は９記載の電力供給方法。
【請求項１１】
供給される電力により第１の電源回路の前記バッテリを充電するための充電回路が設けておき、
前記第２の電源回路が、前記充電回路に電力を供給することを特徴とする請求項７、８、９又は１０記載の電力供給方法。
【請求項１２】
前記第２の電源回路が、前記照光部及び／又は描画回路に対して電力を供給しないとき、前記充電回路に電力を供給することを特徴とする請求項１１記載の電力供給方法。
【請求項１３】
請求項１乃至６のいずれか一に記載の液晶表示装置を有する電子機器。
【発明の詳細な説明】
【技術分野】
【０００１】
この発明は、液晶表示装置、該液晶表示装置に用いられる電力供給方法、及び該液晶表示装置を有する電子機器に係り、特に、屋内外など、明るさが異なる様々な環境下で使用される携帯端末装置などに用いて好適な液晶表示装置、該液晶表示装置に用いられる電力供給方法、及び該液晶表示装置を有する電子機器に関する。
【背景技術】
【０００２】
携帯電話機などの携帯端末装置に設けられている液晶表示装置を構成する液晶ディスプレイ（液晶パネル）のうち、表示画面の背面に配置されているバックライトを光源とする透過型の液晶ディスプレイでは、消費電力及び同バックライトの輝度に起因する視認性に課題がある。すなわち、人間の目では、瞳孔の大きさを調節することにより、視認する明るさを調整しているので、液晶ディスプレイの輝度が同じでも、明るい屋外などでは通常より暗く見えるため、見づらくなり、また、暗い屋内などでは明るい液晶ディスプレイは通常より眩しく感じるため、見づらくなり、視認性が低下する。この状態を改善するために、液晶ディスプレイのバックライトは、外部の明るさに応じて輝度が自動調整される構成となっていることが望ましく、そのために、外部の明るさを検出するフォトセンサ、及びバックライトの輝度を調整する輝度調整回路が設けられる。
【０００３】
この種の液晶表示装置は、たとえば図８に示すように、バッテリ電源回路１と、描画回路２と、液晶ディスプレイ３と、バックライト４と、輝度調整回路５と、フォトセンサ６とから構成されている。バッテリ電源回路１は、バッテリを内蔵し、装置全体に電力を供給する。描画回路２は、液晶ディスプレイ３に対して描画の処理を行う。バックライト４は、液晶ディスプレイ３の背面に配置されている。フォトセンサ６は、外部の明るさを検知する。輝度調整回路５は、フォトセンサ６で検知された外部の明るさに基づいて、電源回路１からバックライト４へ供給される電力を制御する。
【０００４】
上記の液晶表示装置の他、この種の関連技術としては、たとえば、特許文献１に記載された液晶表示装置がある。
この液晶表示装置では、周囲の明るさを検知するための周囲光センサとしての太陽電池が設けられている。調光制御電圧形成回路により、太陽電池からの周囲の明るさに応じた発電出力に基づいて調光制御電圧が形成され、バックライトの明るさを制御する調光回路に供給される。
【０００５】
また、特許文献２に記載された自動画面輝度調整付携帯型パーソナルコンピュータでは、液晶ディスプレイの正面に液晶部が設けられ、コントラストボリュームにより同液晶部のコントラストが手動で変更される。輝度ボリュームにより、液晶ディスプレイの輝度が自動／手動で調整される。光センサ部により、外部の明るさが計測される。バックライト部が発光することにより、液晶部が背後から照光される。輝度制御部により、光センサ部から送られた照度データで所定の輝度が割り出される。光センサ部により、外部の明るさが定量的な照度データで輝度制御部へ伝えられ、バックライトが利用者に最適な液晶ディスプレイの輝度となるように発光する。
【０００６】
また、特許文献３に記載された液晶ディスプレイを有する情報処理装置では、光センサにより、周囲の明るさが検出されて明るさに比例するレベルが出力される。光センサの出力がバックライトコントロール回路に入力され、同光センサからの出力レベルが、あらかじめ設定された基準レベルに達しないとき、同バックライトコントロール回路により制御されてバックライトが点灯する。
【０００７】
また、特許文献４に記載された表示装置では、太陽電池により、表示画面周辺の照度に基づいて、光より電力が発生する。太陽電池から発生す電力を基に、検出回路により、表示画面の周辺の明るさが検出される。電源から表示部に電力が供給される。検出回路で検出された明るさを基に、制御回路により、太陽電池からの電力が上記電源に供給制御される。また、この表示装置は、半透過液晶を用いた構成となっている。
【０００８】
また、特許文献５に記載された車両用ディスプレイ装置では、車両のダッシュボード上にヘッドオンディスプレイが配置される。外部の輝度を検出するための光センサからの信号が外光検知制御部で判別され、周囲が明るいか暗いかが判別される。信号制御部により、昼間の明るい環境下ではヘッドオンディスプレイの表示パネルが白地に黒でネガ表示され、暗い環境では黒地に白でポジ表示される。これにより、明るい環境から暗い環境まで広いダイナミックレンジで画像が表示される。
【０００９】
また、特許文献６に記載された表示装置では、太陽電池セルの出力電圧値が外光照度３００ルクスに対応する１Ｖ以下である場合には、太陽電池モジュールは充電式電池を充電するための電源としては機能しないが、上記出力電圧値がＡ／Ｄコンバータによってデジタル値に変換されて制御部で読み込まれ、さらに、制御部から出力される調光制御信号によって光源駆動部が制御され、光源の輝度が５０ニットに変更される。また、太陽電池セルの出力電圧値が１Ｖ〜外光照度５０００ルクスに対応する３Ｖである場合には、充電式電池が充電されると共に、光源の輝度は１００ニットに変更される。さらに、太陽電池セルの出力電圧値が３Ｖ以上である場合には、充電式電池が充電されると共に、バックライトとしての光源はオフ状態とされる。
【００１０】
また、特許文献７に記載された表示装置では、複数の光源から構成されるバックライトにより、液晶表示素子の背面より光が照射される。第１の電源供給手段により、バックライトに主電源として電源が供給され、第２の電源供給手段により、太陽電池の出力電流が電源とされる。第１の電源供給手段により、バックライトの複数の光源の一部に電源が供給され、第２の電源供給手段により、バックライトの他の一部の光源に電源が供給される。これにより、電池と太陽電池とを並列接続することによって発生する逆流を防止する部品を付加することなく、液晶表示素子の視認性が向上する。
【先行技術文献】
【特許文献】
【００１１】
【特許文献１】特開平０９−０３７１９６号公報
【特許文献２】特開平０５−２６５４０１号公報
【特許文献３】特開平０４−３３５３１８号公報
【特許文献４】特開平０４−３６６８９３号公報
【特許文献５】特開平１１−２１２４９０号公報
【特許文献６】特開２０００−１１２４４１号公報
【特許文献７】特開２００７−２３２９４６号公報
【発明の概要】
【発明が解決しようとする課題】
【００１２】
しかしながら、上記関連技術では、次のような課題があった。
すなわち、図８の液晶表示装置では、外部の明るさによる視認性の低下が改善されるが、フォトセンサ６及び輝度調整回路５が必要となり、構成が複雑になる他、同輝度調整回路５に対する供給電力が電源回路１によって賄われるため、明るい場所では、バックライト４での消費電力が増大し、装置全体としての稼働時間が大きく減少するという問題点がある。
【００１３】
また、特許文献１に記載された液晶表示装置では、表示画面のコントラストを低下させることなく、同表示画面の明るさが使用環境の明るさに応じて自動調整されるが、調光制御電圧形成回路や調光回路が必要となり、ハード構成が大きく、また、明るい場所で使い続けた場合に消費電力が多いという問題点がある。
【００１４】
特許文献２に記載されたパーソナルコンピュータでは、ユーザが現在いる場所のの明るさに合わせて液晶ディスプレイの輝度が自動的に設定されるが、輝度制御部が必要であるため、特許文献１と同様に、ハード構成が大きく、消費電力が多いという問題点がある。
【００１５】
また、特許文献３に記載された情報処理装置では、操作者の判断を必要とせずに、周囲の明るさの変化に対応してバックライトの輝度がコントロールされるが、バックライトコントロール回路が必要であるため、特許文献１と同様に、ハード構成が大きく、消費電力が多いという問題点がある。
【００１６】
また、特許文献４に記載された表示装置では、光出力の切替えが周囲の照度に応じて自動的に行われるが、制御回路が必要であるため、特許文献１と同様に、ハード構成が大きく、消費電力が多いという問題点がある。また、この表示装置は、半透過液晶が用いられているので、液晶という自ら発光しない装置の特性上、暗闇の中ではバッテリによる最低限のバックライト点灯が必要となるが、最低限のバックライト輝度でも、人の目には眩しく感じられるため、視認性に課題が残る。
【００１７】
また、特許文献５に記載された車両用ディスプレイ装置では、昼間の明るい環境においても夜間の暗い環境下においても視認性が良いが、専用の光センサや外光検知制御部などの回路が必要となり、ハード構成が大きいという問題点がある。
【００１８】
また、特許文献６に記載された表示装置では、表示画面の輝度が外光照度に応じた適切な輝度になるように光源の輝度が制御されると共に、省電力化が行われるが、Ａ／Ｄコンバータや制御部などの回路が必要となり、ハード構成が大きいという問題点がある。
【００１９】
また、特許文献７に記載された表示装置では、液晶表示素子の視認性が向上するが、この発明とは構成が異なり、上記の問題点は、改善されない。
【００２０】
この発明は、上述の事情に鑑みてなされたもので、簡単な構成で消費電力の低減及びバックライトの輝度に起因する視認性の低下が改善される液晶表示装置、該液晶表示装置に用いられる電力供給方法、及び該液晶表示装置を有する電子機器を提供することを目的としている。
【課題を解決するための手段】
【００２１】
上記課題を解決するために、この発明の第１の構成は、液晶表示部と、該液晶表示部に対して照光するための照光部と、前記液晶表示部に対して描画処理を行う描画回路と、バッテリを有し、該バッテリの起電力により前記照光部及び描画回路に対して電力を供給する第１の電源回路とを有する液晶表示装置に係り、太陽電池を有し、該太陽電池の起電力により前記照光部及び描画回路に対して電力を供給する第２の電源回路が設けられていることを特徴としている。
【００２２】
この発明の第２の構成は、液晶表示部と、該液晶表示部に対して照光するための照光部と、前記液晶表示部に対して描画処理を行う描画回路と、バッテリを有し、該バッテリの起電力により前記照光部及び描画回路に対して電力を供給する第１の電源回路とを有する液晶表示装置に用いられる電力供給方法に係り、太陽電池を有する第２の電源回路が、前記太陽電池の起電力により前記照光部及び描画回路に対して電力を供給することを特徴としている。
【発明の効果】
【００２３】
この発明の構成によれば、第２の電源回路から、外部の明るさに応じて、照光部及び描画回路に大半の電力を供給でき、フォトセンサなどを用いることなく、簡単なハード構成で液晶表示部の表示画面を見やすい輝度に調整できると共に、第１の電源回路のバッテリの消耗を低減できる。また、バッテリの消耗が低減されるので、バッテリの人為的な充電回数を減らすことができると共に、バッテリの小型化、ひいては電子機器全体の小型化を容易に行うことができる。
【図面の簡単な説明】
【００２４】
【図１】この発明の第１の実施形態である液晶表示装置を有する電子機器の要部の電気的構成を示すブロック図である。
【図２】図１中の太陽電池電源回路１５の電気的構成の一例を示す回路図である。
【図３】図２中の太陽電池モジュール２１の出力特性を示す図である。
【図４】バックライト１４の点灯動作を説明する図である。
【図５】描画回路１２によるカラーテーマの変更動作を説明する図である。
【図６】この発明の第２の実施形態である液晶表示装置を有する電子機器の要部の電気的構成を示すブロック図である。
【図７】図６の携帯電話機１０Ａで電力供給が行われる環境を示す図である。
【図８】液晶表示装置の構成図である。
【発明を実施するための形態】
【００２５】
上記第２の電源回路が、上記照光部及び描画回路に対して、上記第１の電源回路よりも率先して電力を供給する構成とされている液晶表示装置を提供する。
【００２６】
また、この発明の好適な形態では、上記描画回路は、上記第２の電源回路から供給される電力の値に基づいて、上記液晶表示部に描画するときのカラーテーマを変更する構成とされている。また、上記描画回路は、上記第２の電源回路から供給される電力の値が一定値以下のとき、上記液晶表示部に描画するときのカラーテーマを黒基調とする構成とされている。
【００２７】
また、この発明の好適な形態では、供給される電力により第１の電源回路の上記バッテリを充電するための充電回路が設けられ、上記第２の電源回路は、上記充電回路に電力を供給する構成とされている。上記第２の電源回路は、上記照光部及び／又は描画回路に対して電力を供給しないとき、上記充電回路に電力を供給する構成とされている。
【実施形態１】
【００２８】
図１は、この発明の第１の実施形態である液晶表示装置を有する電子機器の要部の電気的構成を示すブロック図である。
この形態の電子機器は、同図に示すように、携帯電話機１０であり、バッテリ電源回路１１と、描画回路１２と、液晶ディスプレイ１３と、バックライト１４と、太陽電池電源回路１５とから構成されている。バッテリ電源回路１１は、図示しないバッテリを有し、同バッテリの起電力によりバックライト１４及び描画回路１２に対して電力ｐａ，ｐｂをそれぞれ供給する。同バッテリは、たとえば、図示しないリチウムイオン二次電池や充放電保護回路などで構成されている。充放電保護回路は、リチウムイオン二次電池の過充電、過放電及び過電流などに対する保護を行い、同リチウムイオン二次電池の接続を遮断することにより保護する。液晶ディスプレイ１３は、たとえば透過型液晶ディスプレイで構成されている。バックライト１４は、たとえば白色ＬＥＤ（Light Emitting Diode、発光ダイオード）などで構成されて液晶ディスプレイ１３の背面に配置され、同液晶ディスプレイ１３に対して照光する。
【００２９】
太陽電池電源回路１５は、図示しない太陽電池を有し、同太陽電池の起電力によりバックライト１４及び描画回路１２に対して電力ｐｃ，ｐｄをそれぞれ供給する。また、太陽電池電源回路１５は、バックライト１４及び描画回路１２に対して、バッテリ電源回路１１よりも率先して電力を供給する。この場合、たとえば、太陽電池電源回路１５の内部インピーダンスは、バッテリ電源回路１１の内部インピーダンスよりも小さく設定され、これにより、バックライト１４及び描画回路１２に対し、バッテリ電源回路１１からは、太陽電池電源回路１５自体の回路駆動や外部の明かりがない場合などにおける最低限の電力ｐａ，ｐｂがそれぞれ供給される一方、太陽電池電源回路１５からは、外部の明るさに応じて、大半の電力ｐｃ，ｐｄがそれぞれ供給される。描画回路１２は、液晶ディスプレイ１３に対して描画処理を行い、太陽電池電源回路１５から供給される電力ｐｄの値に基づいて、液晶ディスプレイ１３に描画するときのカラーテーマ（文字色や背景色）を変更する構成とされている。特に、この実施形態では、描画回路１２は、太陽電池電源回路１５から供給される電力ｐｄの値が一定値以下のとき（たとえば、携帯電話機１０が一定以上の暗闇の中にあるとき）、液晶ディスプレイ１３に描画するときのカラーテーマを黒基調とする。
【００３０】
図２は、図１中の太陽電池電源回路１５の電気的構成の一例を示す回路図である。
この太陽電池電源回路１５は、同図２に示すように、太陽電池モジュール２１と、逆流防止素子２２と、電流制限素子２３と、過電圧保護素子２４とから構成されている。太陽電池モジュール２１は、複数の太陽電池が直並列接続されて構成され、光エネルギーを電気エネルギーに直接変換する。逆流防止素子２２は、たとえば順方向電圧の低いショットキーダイオードなどで構成され、暗い場所や夜間などで太陽電池モジュール２１の出力電圧が低下したとき、後段回路からの逆流電流を阻止することにより、同太陽電池モジュール２１の破壊を防止する。電流制限素子２３は、たとえば数Ω程度の抵抗器などで構成され、後段回路に対する突入電流を制限する。過電圧保護素子２４は、たとえば定電圧ダイオードなどで構成され、太陽電池モジュール２１の出力電圧が後段回路の耐電圧以上となる場合でも、後段回路に印加される電圧を所定の定電圧に制限する。
【００３１】
図３は、図２中の太陽電池モジュール２１の出力特性を示す図である。
この太陽電池モジュール２１は、同図３に示すように、太陽光などの外光が太陽電池セルを照射する強度により出力電流が変化し、外光の強度（日照強度）が強いほど出力電流が大きくなり、また、出力電圧は所定値で飽和する。
【００３２】
図４は、バックライト１４の点灯動作を説明する図、及び図５が、描画回路１２によるカラーテーマの変更動作を説明する図である。
これらの図を参照して、この形態の液晶表示装置に用いられる電力供給方法の処理内容について説明する。
この液晶表示装置では、バッテリ電源回路１１により、バックライト１４及び描画回路１２に対して電力が供給されると共に、太陽電池電源回路１５により、バックライト１４及び描画回路１２に対して電力が供給される。この場合、太陽電池電源回路１５により、バックライト１４及び描画回路１２に対して、バッテリ電源回路１１よりも率先して電力が供給される。これにより、太陽電池電源回路１５から、外部の明るさに応じて、バックライト１４及び描画回路１２に大半の電力ｐｃ，ｐｄがそれぞれ供給される。また、描画回路１２により、太陽電池電源回路１５から供給される電力ｐｄの値に基づいて、液晶ディスプレイ１３に描画するときのカラーテーマが変更される。たとえば、描画回路１２により、太陽電池電源回路１５から供給される電力ｐｄの値が一定値以下のとき、液晶ディスプレイ１３に描画するときのカラーテーマが黒基調とされる。
【００３３】
すなわち、バックライト１４に供給される電力ｐｃは、外部の明るさと正の相関関係をもって増加するので、同バックライト１４は、図４（ａ）に示すように、屋外など、太陽Ｓの光が照射される明るい環境では、より明るく点灯して液晶ディスプレイ１３の表示画面が明るく認識される一方、図４（ｂ）に示すように、屋内などの暗い環境では、より暗く点灯して液晶ディスプレイ１３の表示画面が暗く認識される。また、図５に示すように、周囲の環境が一定以上暗くなると、カラーテーマ（文字色や背景色）が、通常時（ａ）に示す白基調から暗闇の場合（ｂ）に示す黒基調に変更されるため、液晶ディスプレイ１３の液晶層でバックライト１４の光の大部分が遮蔽され、見掛け上、液晶ディスプレイ１３の表示画面がより暗く認識される。
【００３４】
以上のように、この第１の実施形態では、太陽電池電源回路１５から、外部の明るさに応じて、バックライト１４及び描画回路１２に大半の電力ｐｃ，ｐｄがそれぞれ供給されるので、フォトセンサなどを用いることなく、簡単なハード構成で液晶ディスプレイ１３の表示画面が見やすい輝度に調整されると共に、バッテリ電源回路１１のバッテリの消耗が低減される。また、バッテリの消耗が低減されるので、バッテリの小型化、ひいては電子機器全体の小型化が容易となる。また、太陽電池電源回路１５から供給される電力ｐｄの値が一定値以下のとき、液晶ディスプレイ１３に描画するときのカラーテーマが黒基調となるので、周囲が暗闇のときに見掛け上の輝度をさらに下げることができ、視認性が向上する。
【実施形態２】
【００３５】
図６は、この発明の第２の実施形態である液晶表示装置を有する電子機器の要部の電気的構成を示すブロック図である。
この形態の電子機器は、同図６に示すように、携帯電話機１０Ａであり、図１の携帯電話機１０の構成に加え、充電回路１６が設けられている。充電回路１６は、太陽電池電源回路１５から供給される電力ｐｅによりバッテリ電源回路１１へ電力ｐｆを供給して同バッテリ電源回路１１のバッテリを充電する。太陽電池電源回路１５は、バックライト１４が消灯され、同バックライト１４及び／又は描画回路１２に対して電力を供給しないとき、余剰の電力ｐｅを充電回路１６に供給する。
【００３６】
この携帯電話機１０Ａの液晶表示装置に用いられる電力供給方法では、たとえば図７に示すように、折畳み式の筐体が閉じられてバックライト１４が消灯し、バックライト１４及び描画回路１２に対して太陽電池電源回路１５から電力が供給されないとき、太陽Ｓの日照により、同太陽電池電源回路１５から電力ｐｅが充電回路１６へ供給され、同充電回路１６から電力ｐｆがバッテリ電源回路１１へ供給されてバッテリが充電される。これにより、太陽電池から得られる電力が無駄なく利用され、ユーザによる人為的な充電の回数を減らすことができる。
【００３７】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、上記各実施形態では、液晶ディスプレイ１３が、透過型液晶ディスプレイで構成されているが、半透過型液晶ディスプレイでも良い。半透過型液晶ディスプレイは、バックライトによる光源だけでなく、外光を液晶背面の反射部にて反射させることにより、光源とする構成となっている。この場合、装置全体のサイズが制限される携帯端末では、バックライトの点灯に十分な電力を得るだけの太陽電池の表面積の確保に課題があるが、半透過型液晶ディスプレイを用いることにより、外光の反射を直接利用できる分だけ太陽電池を小型化することができる。
【００３８】
また、描画回路１２は、太陽電池電源回路１５から供給される電力ｐｄの値が一定値以下のとき、液晶ディスプレイ１３に描画するときのカラーテーマを黒基調とする構成とされているが、同電力ｐｄの値に基づいて連続的にカラーテーマの変更を行う構成としても良い。この場合、周囲が暗くなるほど徐々に黒基調寄りの画面になっていくことで、切り替わり時の急激な明暗の差が抑えられ、この発明の目的である「外部の明るさに応じたバックライト輝度」を実現する動作が、より円滑に行われる。また、太陽電池電源回路１５により、バックライト１４及び描画回路１２に対して、バッテリ電源回路１１よりも率先して電力が供給される構成は、たとえば、リレー回路などにより、太陽電池電源回路１５又はバッテリ電源回路１１を選択する構成としても良い。
【産業上の利用可能性】
【００３９】
この発明は、携帯電話機に限らず、明るさが異なる様々な環境下で使用される携帯端末装置に設けられる液晶表示装置全般に適用できる。
【符号の説明】
【００４０】
１０，１０Ａ      携帯電話機（電子機器）
１１      バッテリ電源回路（第１の電源回路）
１２      描画回路
１３      液晶ディスプレイ（液晶表示部）
１４      バックライト（照光部）
１５      太陽電池電源回路（第２の電源回路）
１６      充電回路
【図１】
2010277055.tif 000003
【図２】
2010277055.tif 000004
【図３】
2010277055.tif 000005
【図４】
2010277055.tif 000006
【図５】
2010277055.tif 000007
【図６】
2010277055.tif 000008
【図７】
2010277055.tif 000009
【図８】
2010277055.tif 000010